(57)【要約】【課題】再封のための別部材等を付加することなく、開封後の包装袋を再封することが容易に、かつ確実に行える再封機能付き包装袋を提供する。【解決手段】包装袋１の上部に、注出部６が、その両側の注出部側端をシールする注出部シール部１５により筒状に形成され、注出部の先端に、注出部の先端を封止する開口片７が弱め線１６で区画されて連接され、開口片を弱め線に沿って切り離すことにより開口する注出口を有し、開口片の内部に、注出部の先端部を収納する空間８が形成されている。【選択図】図１
2019189253.tif 000002
【特許請求の範囲】
【請求項１】
２枚のシート、または１枚のシートを折り曲げたもの、を対向させ、上部、底部および左右の側部、の端縁部でシールして内部に収納部を形成した包装袋であって、
前記包装袋の上部に、
注出部が、その両側の注出部側端をシールする注出部シール部により筒状に形成され、
前記注出部の先端に、前記注出部の先端を封止する開口片が弱め線で区画されて連接され、
前記開口片を前記弱め線に沿って切り離すことにより開口する注出口を有し、
前記開口片の内部に、前記注出部の先端部を収納する空間が形成されている
ことを特徴とする再封機能付き包装袋。
【請求項２】
前記包装袋の上部の端縁部に底部側に凹んだ凹部を有し、前記注出部および開口片が前記凹部の領域内に設けられていることを特徴とする請求項１に記載の再封機能付き包装袋。
【請求項３】
前記注出部の先端部の、少なくとも一方の前記注出部側端に突起が形成され、前記開口片の内部の前記注出部の先端部を収納する空間が、前記突起を収納する領域を有することを特徴とする請求項１または２に記載の再封機能付き包装袋。
【請求項４】
前記突起の形状が、矩形、角丸矩形、三角形、半円形、半長円形のいずれか、またはこれらの組合せであることを特徴とする請求項３に記載の再封機能付き包装袋。
【請求項５】
前記弱め線が、ハーフカット線からなることを特徴とする請求項１から４のいずれかに記載の再封機能付き包装袋。
【請求項６】
前記注出部が設けられている部位以外の上部に、内容物充填用開口部を有することを特徴とする請求項１から５のいずれかに記載の再封機能付き包装袋。
【請求項７】
前記包装袋が、底部に底テープを挟みこんで端縁をシールしたスタンディングパウチであることを特徴とする請求項１から６のいずれかに記載の再封機能付き包装袋。
【請求項８】
請求項１から７のいずれかに記載の再封機能付き包装袋の前記収納部に内容物を収納してなることを特徴とする包装体。
【発明の詳細な説明】
【技術分野】
【０００１】
本発明は再封可能な包装袋に関し、更に詳しくは、再封手段の形成が容易で、かつ開封した開口部を簡単な操作で確実に再封することができる再封機能付き包装袋に関する。
【背景技術】
【０００２】
従来から、プラスチックシートを主体とするシートを貼り合せて内部に収納部を設けた包装袋が知られている。このような包装袋から内容物を取り出すためには、包装袋の上部などに、シートのシールパターンによりノズル状の注出口部を形成しておき、その先端部分を切り裂くなどして開口させることにより、内容物を注出できるようにすることが行われている。
【０００３】
この様な従来の包装袋では、注出口部を一旦切り裂いて開封すると、注出口部を再封することが困難なため、内容物をすべて使いきる必要があり、使いきれずに一部を保存するためには別の容器に移し替える必要があり面倒である、という問題点があった。この様な従来の包装袋の問題点を解決するための種々の包装袋が提案されている。
【０００４】
例えば特許文献１には、自立性パウチの上辺に、ポリエチレン樹脂の成形体よりなるスパウトとキャップからなる口栓が、包装袋を構成する積層フィルムと共にヒートシールして取り付けられたパウチが開示され、開閉自在の口栓により、再封が自在に行える包装袋とされているものと看取される。
【０００５】
また、特許文献２には、袋からノズル状に突出して設けられた流出路の先端に開封口が設けられた袋が開示され、流出路の先端を切り裂いて開封口を開口させた後に袋を再封するときは、ノズル状の流出路の部分を折り曲げ、袋に設けたスリットにノズルの先端部分を差し込んで固定することで袋が封止されるとしている。
【０００６】
しかしながら、特許文献１に開示されている様なパウチは、スパウトやキャップなど樹脂成形品の別部材を必要とし、またそれらを包装袋本体に取り付ける別工程が必要になるなど、コスト高になり易く、またスパウトを取り付けた部分は袋自体よりも厚くなるため、未使用状態での保管時に積み重ねが難しく、場所を取る、という問題があった。また特許文献２に開示された袋は、流出路が折り曲げられているだけで封止されておらず、また開封口付近に付着した内容物が折り曲げて固定する際に袋の他の部分に付着し易く衛生的でなく、またスリットを設けるための積層シートに大きく余分の領域を設ける必要があり、効率的でない、という問題点があった。
【先行技術文献】
【特許文献】
【０００７】
【特許文献１】特開２００５−１７５９号公報
【特許文献２】特開平５−１７８３５６号公報
【発明の概要】
【発明が解決しようとする課題】
【０００８】
そこで本発明は、積層シート等のシートを貼り合せて形成した包装袋において、再封のための別部材や余分なシートを大きく付加する必要がないため低コストであり、開封後の包装袋を再封することが容易に、かつ確実に行える再封機能付き包装袋を提供することを課題とする。
【課題を解決するための手段】
【０００９】
上記課題を解決するため、本発明の請求項１に係る発明は、
２枚のシート、または１枚のシートを折り曲げたもの、を対向させ、上部、底部および左右の側部、の端縁部でシールして内部に収納部を形成した包装袋であって、
前記包装袋の上部に、
注出部が、その両側の注出部側端をシールする注出部シール部により筒状に形成され、
前記注出部の先端に、前記注出部の先端を封止する開口片が弱め線で区画されて連接され、
前記開口片を前記弱め線に沿って切り離すことにより開口する注出口を有し、
前記開口片の内部に、前記注出部の先端部を収納する空間が形成されている
ことを特徴とする再封機能付き包装袋である。
【００１０】
また、本発明の請求項２に係る発明は、
前記包装袋の上部の端縁部に底部側に凹んだ凹部を有し、前記注出部および開口片が前記凹部の領域内に設けられていることを特徴とする請求項１に記載の再封機能付き包装袋である。
【００１１】
また、本発明の請求項３に係る発明は、
前記注出部の先端部の、少なくとも一方の前記注出部側端に突起が形成され、前記開口片の内部の前記注出部の先端部を収納する空間が、前記突起を収納する領域を有することを特徴とする請求項１または２に記載の再封機能付き包装袋である。
【００１２】
また、本発明の請求項４に係る発明は、
前記突起の形状が、矩形、角丸矩形、三角形、半円形、半長円形のいずれか、またはこれらの組合せであることを特徴とする請求項３に記載の再封機能付き包装袋である。
【００１３】
また、本発明の請求項５に係る発明は、
前記弱め線が、ハーフカット線からなることを特徴とする請求項１から４のいずれかに記載の再封機能付き包装袋である。
【００１４】
また、本発明の請求項６に係る発明は、
前記注出部が設けられている部位以外の上部に、内容物充填用開口部を有することを特徴とする請求項１から５のいずれかに記載の再封機能付き包装袋である。
【００１５】
また、本発明の請求項７に係る発明は、
前記包装袋が、底部に底テープを挟みこんで端縁をシールしたスタンディングパウチであることを特徴とする請求項１から６のいずれかに記載の再封機能付き包装袋である。
【００１６】
また、本発明の請求項８に係る発明は、
請求項１から７のいずれかに記載の再封機能付き包装袋の前記収納部に内容物を収納してなることを特徴とする包装体である。
【発明の効果】
【００１７】
本発明の請求項１に記載の発明によれば、シートを貼り合せて形成された包装袋を開封するときは、注出部の先端側で弱め線の部分を手で切り裂いて開口片を切り離し、注出口を開口させて内容物を注出でき、再封する際には、切り取った開口片の内部に形成された空間に注出部の先端を挿入して収納することで注出口の先端を封止できるため、包装袋を容易に、かつ確実に再封することができる。開口片は包装袋と同一のシートで形成され、包装袋を製造する際に型抜き等により同時に設けることができるため、再封機能を得るために別部材や別工程を必要とせず、効率的かつ低コストで再封機能を備えることができる
包装袋を提供できる。
【００１８】
また請求項２に記載の発明によれば、注出部および開口片が、包装袋の上部の端縁部が底部側に凹んだ凹部の領域内に設けられているため、シートのサイズを注出部および開口片を設けるために大きくする必要がなく、シートに無駄が少なく効率的で低コストの包装袋が得られる。
【００１９】
また請求項３に記載の発明によれば、注出部の先端部分の注出部側端に形成された突起が、開口片の内部に形成された注出部の先端部分を収納する空間の、突起を収納する領域に収納されて開口片が抜け落ち難くなっているため、確実に注出口を再封できる。
【００２０】
また請求項４に記載の発明によれば、突起が加工の容易な単純な形状であり、かつ開口片の内部の注出部の先端部を収納する空間において好適に収納されることができる。
【００２１】
また請求項５に記載の発明によれば、公知のレーザ加工、傷加工などにより容易に弱め線を設けることができる。
【００２２】
また請求項６に記載の発明によれば、内容物充填用の開口部から内容物を充填し、充填後に開口部をシールすることで密封することができ、別に充填用の部材などを取り付ける必要がない。
【００２３】
また請求項７に記載の発明によれば、包装袋に自立性を持たせることができ、保管しやすく、また開封後にも底部を下にして立たせることができ、開封された注出口から内容物が零れることがない。
【００２４】
また請求項８に記載の発明によれば、収納部に収納した内容物の一部を注出した後、切り取った開口片を注出部の先端に被せ、その内部の空間に注出部の先端を収納することで注出口を確実に再封することができる包装体が得られる。
【図面の簡単な説明】
【００２５】
【図１】本発明の再封機能付き包装袋の模式図である。
【図２】包装袋を開封および再封する態様を示す注出部の部分の拡大模式図である。
【図３】注出部および開口片の形態例を示す模式図である。
【図４】本発明の再封機能付き包装袋の弱め線の形態例を示す模式図である。
【図５】注出部および開口片の別の形態例を示す模式図である。
【図６】注出部および開口片を斜め上方向に設けた形態例を示す模式図である。
【図７】上部に充填口を設けた形態例の模式図である。
【発明を実施するための形態】
【００２６】
以下、本発明の実施の形態を、図面を参照しながら詳細に説明する。なお本発明は以下に説明する実施形態に限定されるものではない。また以下において同等の部材等には同じ符号を付して説明を省略することがある。
【００２７】
図１は、本発明の再封機能付き包装袋の模式図である。包装袋１は、プラスチックを主体とするシートによりスタンディングパウチの形状に製袋されている。包装袋１は、少なくとも基材層とシーラント層を有する２枚の積層シート２、３を表裏のシートとしてシーラント層を対向させ、底部に逆Ｖ字に２つ折にした底テープ４を挟みこんで端縁のシール部でシールして底部１１とし、上部１２、左右の側部１３をシールし、内部に収納部１４を形成したものである。それぞれのシール部のシールは、ヒートシールにより好適に行うことができる。
【００２８】
上部１２の一部に底部１１側に凹んだ凹部５が設けられ、凹部５において、その両側の注出部側端をシールした注出部シール部１５により形成された筒状の注出部６が上方に突出している。注出部６の先端には開口片７が弱め線であるハーフカット線１６により区画されて連接して注出部６の先端を封止している。なおハーフカット線１６は１本であって良く、複数本設けられても良い。ハーフカット線１６を切り裂いて開口片７を切り離すことで、注出部６の先端が開口されて注出口となる。ハーフカット線１６を設ける方法は特に限定されないが、例えば公知の傷加工やレーザ加工などにより設けることができる。
【００２９】
注出部シール部１５の先端部には突起１７が、ここでは両側に設けられている。一方、開口片７の内部には非シール部である空間８が形成されている。図２は包装袋の注出部を拡大して示したもので、開封および再封止する態様を例示している。図２に示す様に、ハーフカット線１６を切り裂いて開口片７を切り離し、注出口１８を形成することで内容物を注出でき、その後に包装袋１を再封する際は、形成された注出口１８に切り取った開口片７を被せ、その内部の空間８に注出部６の先端を挿入して収納することにより、注出口を封止し、包装袋１を再封することができる。
【００３０】
また、開口片７の内部の空間８に突起１７を収納する領域９を設けることができ、領域９に突起１７が収納されることにより、開口片７が抜け落ち難くなることでより確実に注出口を封止し、包装袋１を再封することができる。また内容物の注出時に注出口１８の周辺に内容物が付着しても、注出口１８とその周辺の部分は開口片７の内部の空間８に収納されるため、包装袋１の他の部分に内容物が付着してしまうことがなく衛生的である。
【００３１】
再封した包装袋１を再度開封するときは、開口片７を手で引き上げることにより開口片７を取り外すことができる。開口片７は注出部６の先端部分を収納しており、特に突起１７が領域９に収納されて緩嵌合しているが、包装袋１を構成する積層シート２、３はプラスチックを主体とする積層シートであり、可撓性に富んでいるため、手で引き上げることで大きな負荷なく取り外すことができる。
【００３２】
またこのとき、注出部６および開口片７を凹部５の領域内に、すなわち図１で軸Ｘ、軸Ｙで囲んだ領域の内部に形成されるようにすることにより、注出部６および開口片７が上部１２、底部１１、側部１３、軸Ｘ、軸Ｙで囲まれた略矩形の領域からはみ出ず、包装袋１を製造する際に積層シート２、３を効率的に面付けすることができ、コスト高になることがなく好ましい。また未使用時の保管の際や、内容物を充填して店頭に陳列する際などにも、略矩形からの余計な出っ張りがなく、扱い易い。
【００３３】
突起１７の形状は特に限定されないが、複雑な形状とすると形成するのが困難になることがあり、また形成後に千切れるなどする虞があるため、単純な形状とするのが好ましい。突起１７の形状は例えば図１に例示したような両側に矩形状に突出して全体として十字形とする以外に、図３の模式図に例示したように、三角形状（ａ）、（ｂ）、半長円形状（ｃ）などとすることができる。また、例えば一方を矩形、他方を長円形などのように両側の形状を異なるものとしても良い。また空間８に設けられた突起１７を収納する領域９の形状を、突起１７の形状に相当する形状として設けると、収納が容易になり好ましい。
【００３４】
弱め線であるハーフカット線１６は、図１などに例示したように直線状に設けるほか、図４に示す様な曲線状としても良い。曲線状とすることで、注出部６と開口片７の区画の位置を変え、開口片７の空間８に通じる開口を広くすることができ、注出部６の先端を収納する際に、注出部６の先端の挿入がし易くなる。
【００３５】
図５は注出部および開口片の別の形態例を示す模式図である。突起１７およびそれを収
納する領域９の形態は、上記に説明した以外に、例えば図５の様に一方の注出部シール部１５のみに突起１７を設けて領域９に収納されるようにしても良い。この場合、開口片７の空間８に設ける突起１７を収納する領域９を、図５（ａ）の様に一方の側のみに設けるようにしても、図５（ｂ）の様に両側に設けるようにしても良い。領域９を両側に設けると、開口片７を切り離した後に再封する際に、注出部の先端を挿入する方向を確認する必要がないので利便性が高い。
【００３６】
注出部６はまた、図６に示す様に凹部５において斜め上方向に突出する様に設けることもできる。注出部６の先端には開口片７が前述の実施形態と同様に設けられている。また本形態においても注出部６および開口片７はＸ´軸、Ｙ´軸で区画される凹部５の領域内に収まるように設けられる。
【００３７】
包装袋１の上部側の凹部５以外の部分を、図７に示す例のように製袋の時点ではシールしない態様として、内容物の充填口１９とすることができる。充填口１９は、内容物の充填後に他の端縁部と同様にシールされ、包装袋１が密封されることにより包装体を形成することができる。
【００３８】
なお、本発明の再封機能付き包装袋は、上記の実施形態の様なスタンディングパウチ形状に限られず、ガセットパウチ、三方シール袋、四方シール袋、ピローシール袋など公知のいずれかの形状の包装袋とすることもできる。
【００３９】
本発明の再封機能付き包装袋に使用するシートとしては、通常軟包装袋に使用される積層シートを用いることができる。基材としては、１層ないしは数層からなる紙や金属箔や合成樹脂フィルムを使用する。一例を挙げれば、低密度ポリエチレン樹脂（ＬＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、ポリオレフィン系エラストマー等のポリオレフィン系樹脂、ポリエチレンテレフタレート樹脂（ＰＥＴ）、ポリブチレンテレフタレート樹脂（ＰＢＴ）、ポリエチレンナフタレート樹脂（ＰＥＮ）等のポリエステル系樹脂、セロハン、三酢酸セルロース（ＴＡＣ）等のセルロース系樹脂、ポリメチルメタアクリレート（ＰＭＭＡ）樹脂、エチレン−酢酸ビニル系共重合樹脂（ＥＶＡ）、アイオノマー樹脂、ポリブテン系樹脂、ポリアクリロニトリル系樹脂、ポリアミド系樹脂、ポリスチレン系樹脂（ＰＳ）、ポリ塩化ビニル系樹脂（ＰＶＣ）、ポリ塩化ビニリデン系樹脂（ＰＶＤＣ）、ポリカーボネート樹脂（ＰＣ）、フッ素系樹脂、ウレタン系樹脂等の合成樹脂フィルムおよび紙、金属箔等が単体または、複合して使用される。
【００４０】
シーラント層としては、ポリオレフィン系樹脂が一般的に使用され、具体的には、低密度ポリエチレン樹脂、中密度ポリエチレン樹脂、直鎖状低密度ポリエチレン樹脂、エチレン・酢酸ビニル共重合体、エチレン・αオレフィン共重合体などのエチレン系樹脂や、ホモポリプロピレン樹脂、プロピレン・エチレンランダム共重合体、プロピレン・エチレンブロック共重合体、プロピレン・αオレフィン共重合体などのポリプロピレン系樹脂などが使用される。
【００４１】
本発明の再封機能付き包装袋に使用するシートには、包装袋に充填される内容物や、内容物充填後の加熱の有無などの使用条件、あるいは、水蒸気その他のガスバリヤー性、遮光性、耐突刺し性などの各種の機械的強度など必要とされる性能に応じて、基材層とシーラント層との間などにガスバリヤー層、遮光層、強度向上層、印刷層などを積層した構成の積層シートを使用することができる。また上記基材層やガスバリヤー層、遮光層、強度向上層、印刷層、シーラント層などは、それぞれ単独の層で形成して良いが、複数の層を積層して形成しても良い。
【００４２】
以上説明したように、本発明の再封機能付き包装袋によれば、注出部の先端を切り裂いて開口させるときに開口片を弱め線で切り離すことで容易に開封でき、再封の際には、注出部の先端を開口片の内部の空間に収納することで、容易にかつ確実に再封でき、再封のための別部材や余分なシートを大きく付加する必要がないため低コストでもある再封機能付き包装袋を提供することができる。
【符号の説明】
【００４３】
１・・・包装袋
２、３・・・積層シート
４・・・底テープ
５・・・凹部
６・・・注出部
７・・・開口片
１１・・・底部
１２・・・上部
１３・・・側部
１４・・・収納部
１５・・・注出部シール部
１６・・・ハーフカット線
１７・・・突起
１８・・・注出口
１９・・・充填口
【図１】
2019189253.tif 000003
【図２】
2019189253.tif 000004
【図３】
2019189253.tif 000005
【図４】
2019189253.tif 000006
【図５】
2019189253.tif 000007
【図６】
2019189253.tif 000008
【図７】
2019189253.tif 000009